(57)【特許請求の範囲】
【請求項１】
単一の導体を用いて非同期データとリファレンス周波数を同時に伝送するシステムであって、
当該単一の導体の第１の端部に接続された第１のユニットであって、当該第１のユニットは２相符号を取り扱うことができ、非同期データは、基本周波数としてｆ０を使用し、基本周波数の倍数としてｆ１を使用しており、当該リファレンス周波数はｆ２で表され、周波数ｆ２は周波数ｆ０のサブハーモニックであり、周波数ｆ２に２相符号化データを重畳するユニットと、
前記１つの導体の第２の端部に接続された第２のユニットであって、２相符号化されたデータから前記周波数ｆ２を抽出することができるユニットとを具備するシステム。
【請求項２】
前記非同期データはメッセージの送信時間に関する絶対時刻情報を有する請求項１に記載のシステム。
【請求項３】
前記第２のユニットは前記２相符号化されたデータの前記周波数ｆ２のエッジを検出することができる請求項１に記載のシステム。
【請求項４】
前記第２のユニットは前記周波数ｆ２の複数のエッジを検出し、当該リファレンス周波数を表す周期的信号を発生させる請求項１に記載のシステム。
【請求項５】
前記第２のユニットは前記リファレンス周波数の位相復元を行い、リファレンス周波数を抽出することができる請求項１に記載のシステム。
【請求項６】
前記第１のユニットは符号侵害シンボルを使用して前記リファレンス周波数の位相を復元することができる請求項１に記載のシステム。
【請求項７】
前記非同期データのリーディングエッジは、前記リファレンス周波数のレベルの過渡変化と位置がそろっている請求項１に記載のシステム。
【請求項８】
前記第１のユニットが一定時間の間リファレンス周波数の伝送を中断することができ、前記第２のユニットは該一定時間の間リファレンス周波数が存在しないことに応答して信号を発生することができる請求項１に記載のシステム。
【請求項９】
前記単一の導体は無線基地局内のユニット間のインターフェースを含む請求項１に記載のシステム。
【請求項１０】
第１のユニットから第２のユニットに単一の導体を通じて非同期データとリファレンス周波数とを同時に伝送する方法であって、
前記非同期データを、基本周波数としてｆ０を使用し、基本周波数の倍数としてｆ１を使用して２相符号化する過程と、
前記リファレンス周波数を、前記周波数ｆ０のサブハーモニックである周波数ｆ２によってあらわす過程と、
２相符号化されたデータと周波数ｆ２とを重畳する過程とを含む方法。
【請求項１１】
前記非同期データはメッセージの送信時間に関する絶対時刻情報を有する請求項１０に記載の方法。
【請求項１２】
前記第２のユニットは前記２相符号化されたデータの前記周波数ｆ２のエッジを検出することができる請求項１０に記載の方法。
【請求項１３】
前記検出する過程は、
前記周波数ｆ２の複数のエッジを検出する過程と、
当該リファレンス周波数を表す周期的信号を発生させる過程を含む請求項１０に記載の方法。
【請求項１４】
前記リファレンス周波数の位相復元を行う過程と、
リファレンス周波数を抽出する過程とを含む、請求項１０に記載の方法。
【請求項１５】
符号侵害シンボルを使用して前記リファレンス周波数の位相を復元する過程を含む請求項１０に記載の方法。
【請求項１６】
前記非同期データのリーディングエッジは、前記リファレンス周波数のレベルの過渡変化とそろっている請求項１０に記載の方法。
【発明の詳細な説明】
【０００１】
発明の属する技術分野
本発明は全般的には電気通信分野に関し、特に、ユニット間のデジタルインターフェースで信号を組み合わせる方法に関する。
【０００２】
関連技術の記載
たとえば移動体通信のためのグローバルシステム（ＧＳＭ）のようなデジタルセルラー通信システムでは、分散無線基地局（ＲＢＳ）は、共通機能（ＣＦ）とベースバンドデジタル信号処理（ＢＢ  ＤＳＰ）コンポーネントを１つのユニットに、無線送受信コンポーネントを１つ以上の個別の無線ユニットに構成することができる。基本的には、無線ユニットは、そのカバー領域が対応するアンテナの位置と方向によって決まるので、位置依存性を有する。一方、ＣＦ／ＢＢ  ＤＳＰユニットは、位置によらず、単一のＣＦ／ＢＢ  ＤＳＰ「プール」ユニットが多くの異なる無線ユニット、したがって多くのセルにサービスを提供することができる。典型的な場合には、そのような無線ユニットはマルチキャリア無線である。
【０００３】
別な場合は、１つのＣＦユニットと複数の分離した無線装置（ＴＲＸ）を有する、無線装置に基づくＲＢＳ構成を使用することができる。これらのＲＢＳ構成の場合はいずれの場合にも、対応するユニットのＣＦの部分は、搬送ネットワーク（たとえばＡｂｉｓ）とＴＲＸ又は無線ユニットの間の切り替えを行う。また、ＣＦユニットは、搬送ネットワークの周波数（又は他のリファレンス周波数）にロックされたリファレンス発振器と、時間を連絡するリファレンスクロックを具備する。ＴＲＸ又は無線ユニットのＲＦコンポーネントが使用するキャリア周波数はリファレンス発振器からえられたもので、送信と受信の開始時間はリファレンスクロック時間に基づくものである。
【０００４】
いずれにしても、デジタルインターフェースはＣＦ／ＢＢ  ＤＳＰユニットと無線ユニット（「プール」システム）、または、ＣＦユニットと対応するＲＢＳのＴＲＸ（無線システムの場合）を接続するために必要である。典型的な場合には、この種のデジタルインターフェースは４つのそれぞれ独立な情報を搬送する必要がある。それらは、同期データ、リファレンス周波数情報、絶対時刻情報、およびリセット情報である。
【０００５】
基本的には、非同期データは、ＢＢ  ＤＳＰユニットが別のユニットに伝達する、バーストと送信される実際のデータの制御情報である。周波数リファレンス情報は、たとえば、送信インターフェース信号の周波数をフィルタ除去することによって作成することができる。しかし、周波数リファレンスは無線ユニットまたはＴＲＸのＲＦ搬送波を作成するために使用されるので、リファレンス周波数に課せられた精度は非常に高度である。たとえば、ＧＳＭ技術仕様は、どのような搬送波もリファレンス発振器周波数から５０ｐｐｂ以上偏差を生じてはならないと定めている。絶対時刻情報は、無線送信とＢＢ  ＤＳＰコンポーネントの時間が同一であることを確保するために使用される。複数の無線ユニットを有するＲＢＳでは、異なる無線ユニットが同じ時間を使用することが基本である。従って、ＧＳＭ技術使用は、どの２つの送受信機／無線ユニットの時間ずれも９１５ｎｓを越えてはならないと規定している。最後に、搬送されるリセット情報は、たとえば、何らかの理由でソフトウエアがロックしてしまったときに無線コンポーネントを「リセット」することが必要なので、これもまた重要である。
【０００６】
セルラーＲＢＳにおけるCＦ／ＢＢ  ＤＳＰユニットと無線ユニット（またはＣＦユニットとＴＲＸ）との間のデジタルインターフェースの設計に関する重要な問題は、ユニット間のワイヤ（あるいは光伝送路）の数をいかにして削減するかである。インターフェースワイヤ（または光伝送路）の数を最小限に抑えなければならないことについては幾つかの理由がある。たとえば、ユニットにおける電気的または光コネクタは非常に多くの場所を占有する。又、ユニットの入出力位置での集積回路（たとえばＡＳＩＣ）とのピン接続の数は制限されている。さらに、比較的長距離の場合は（ユニット間のワイヤまたは光導電線は数百メートルになる場合がある）、通信メディアのコストは非常に高い（特に光ファイバの場合）。デジタルインターフェースにおいて導体の数を削減することによる利益は、ＲＢＳの消費電力の低減を伴なうのが典型的である。デジタルインターフェース中のコンダクタの数を最小に維持することの別の利点は、モデムと送受信機のコストが低減されることである。
【０００７】
通常の運転状態では、非同期データ、リファレンス周波数、タイミングとリセット情報を搬送するためには別のインターフェースが使用される。したがって、ＲＢＳユニット間のデジタルインターフェースが搬送しなければならない信号をなるべく少なくさせるという設計要求があるにもかかわらず、実際のシステムでは、デジタルインターフェースは、同期データに加えて、周波数リファレンスと時間リファレンスを搬送しなければならない。上述のように、これらのリファレンス信号に関しては、極めて厳格な精度と解像度要求が課せられている。さらに、周波数リファレンス信号を搬送する同期デジタルインターフェースは存在しない。
【０００８】
上述のように、時間リファレンスは、ＲＢＳ信号処理コンポーネントが、正しい時刻にバーストを送信するために使用されている。実際は、移動体位置特定の場合には（たとえば、セルラーネットワーク内の移動局の位置を決定する場合）、タイミングリファレンスに課せられた正確性の要求はきわめて厳格である（偏差が１００ｎｓ未満）。
【０００９】
デジタルインターフェース上を搬送されるリセット信号は、必要に応じて（たとえばソフトウエアのロックアップが起きたとき）、ＲＢＳのコンポーネントをリセットする信号を出力する単純なアナログ回路が受信して解釈することができるように設計されている必要がある。換言すれば、アプリケーションに特化した集積回路（ＡＳＩＣ）やその他の回路がソフトウエアのロックアップの後にＲＢＳユニットの作動を再起動するために使用されるなら、ＡＳＩＣをリセットする単純なアナログ回路の作動はＡＳＩＣ（又はその他の回路）の作動から独立したものでなければならない。したがって、現在のＲＢＳは別のコンダクタを追加しない限り、そのような機能を有してはいない。しかし、以下に詳細に説明するように、本発明はこの問題を解決することに成功したものである。
【００１０】
発明の要旨
本発明によって、デジタルインターフェースを介して伝達される信号を組み合わせる方法が提供される。本発明の１つの実施例に拠れば、周波数のサブハーモニックに非同期データを重畳する。サブハーモニックはデジタルインターフェースを通してリファレンス周波数を搬送するために使用することができる。リファレンス周波数は、たとえば、無線または送受信ユニットにおいて搬送波周波数を作成するために使用することができる。本発明の第２の実施例に拠れば、マスター回路からスレーブ回路に対してデジタルインターフェースを介してリファレンス時刻を搬送するために、時刻スタンプアルゴリズムが使用される。マスター回路とスレーブ回路との間の伝送遅延が測定される。マスター回路は、スレーブ回路に対して、修正メッセージが送信された時刻と伝送遅延に基づいて時刻修正メッセージを送信する。本発明の第３の実施例に拠れば、無線送受信ユニットをリセットするリセット信号が、第１の実施例から所定時間だけリファレンス周波数を送信しないことによってデジタルインターフェースを介して送信される。リファレンス周波数が無いことを認識し、受信側でリセット処理を開始するために、受信側でローパスフィルタまたはウォッチドッグ回路を使用することができる。
【００１１】
本発明の重要な技術的利点は、デジタルインターフェースの導線の数を削減することができることである。
【００１２】
本発明の別の技術的は利点は、デジタルインターフェースで使用する導線の数を最小限にすることによって、装置の消費電力を最小化することができることである。
【００１３】
本発明のさらに別の技術的な利点は、デジタルインターフェースの導線の数を最小化することによって、装置が必要とする空間を最小限にすることができることである。
【００１４】
本発明のさらに別の重要な技術的利点は、デジタルインターフェースで使用する導線の数を最小化することによって、装置が必要とする集積回路ピンの数が最小になることである。
【００１５】
本発明にさらに別の技術的な利点は、デジタルインターフェースに関して、より単純な集積回路構成が提供されること、１つの導体上で非同期データとリファレンス周波数を同時に搬送できること、１つの銅体を使用して高精度のリファレンス時刻を搬送できること、直流の影響を受けない変調信号を搬送できること、および、リセット情報、非同期データとリファレンス周波数を１つの導体によって同時に搬送できることである。
【００１６】
本発明の装置と方法とは、添付の図面を参照する発明の詳細な説明によって完全に理解することができるはずである。
【００１７】
実施例の詳細な説明
本発明の好ましい実施例とそれらの利点は、複数の図面を通じて同一および類似の部分には同じリファレンス番号を付番した図１ないし７によって最もよく理解される。
【００１８】
本発明は、基本的に、デジタルインターフェースを介して搬送される信号を組み合わせる方法を提供する。本発明の１つの実施例に拠れば、周波数のサブハーモニックに非同期データを重畳する。サブハーモニックはデジタルインターフェースを介してリファレンス周波数を搬送するために使用することができる。たとえば、リファレンス周波数は、無線または送受信ユニットで搬送周波数を発生させるために使用することができる。本発明の第２の実施例では、マスター回路からスレーブ回路にデジタルインターフェースを介してリファレンス時刻を搬送するために、時刻スタンプアルゴリズムが使用される。マスター回路とスレーブ回路の間の遅延を測定する。マスター回路はスレーブ回路に対して、修正メッセージが送信された時刻と伝送遅延とに基づく時刻修正メッセージを送信する。本発明の第３の実施例では、無線送受信ユニットをリセットさせるために使用することができるリセット信号が、第１の実施例のリファレンス周波数を所定の時間だけ除去することによってデジタルインターフェースを介して搬送される。インターフェースの受信器側では、リファレンス周波数が無いことを認識して、受信側でリセット処理を開始するために、ローパスフィルタまたはウォッチドッグ回路が使用される。
【００１９】
図１は、本発明の好ましい実施例を実現することができるＲＢＳのＢＢ  ＤＳＰプールタイプを示すブロック図である。図示したＲＢＳ１０はたとえばＧＳＭネットワークのようなデジタルセルラー通信システムに使用することができる。しかし、本発明は特定の型のセルラー通信システムに限定されるものではなく、どのようなシステムにおけるユニット間のデジタルインターフェースにも、特に、インターフェース導線の数を削減することに利益がある場合に適用することのできるものである。
【００２０】
図１に示したように、ＲＢＳ１０は、ＣＦ／ＢＢ  ＤＳＰユニット１２を含む。ユニット１２は、ＢＢ  ＤＳＰ部２６が伝送ネットワーク１８からリファレンス周波数を受け取ることを補助する機能と、スイッチ２４のスイッチ機能とを含む、制御処理アプリケーションを実行するプロセッサ（ＣＰＵ）２０をＣＦ部に有する。リファレンス発振器２２は、対応する無線ユニット１４ａ―ｎのＲＦコンポーネントに伝達されるリファレンス周波数を発生させる。リファレンス周波数は、基礎となるべきＲＦ搬送波周波数を作成するために使用される。複数の信号伝送体（ワイヤおよび／または光ファイバ）から構成されるデジタルインターフェース１６が、ＢＢ  ＤＳＰ部２６から対応する無線ユニット１４ａ―ｎの間の信号を伝達する。
【００２１】
図２は、本発明の好ましい実施例に基づいて、デジタルインターフェース１６上をリファレンス周波数を搬送するために使用することができる信号フォーマットの例を示すものである。第１に、記載を明瞭にするために、図１に示したデジタルインターフェース１６上でのデータ伝送に使用することができる電気レイヤのためのプロトコルを記載することは有意義である。たとえば、非同期データメッセージは、極２位相符号化データ信号を使用してデジタルインターフェースの導体上を伝送することができる。換言すれば、図２に示すように、信号値「１」が基本周波数ｆ０としてデジタルインターフェース１６上を搬送される。信号値「０」は、基本周波数の倍数あるいはｆ１＝２＊ｆ０としてインターフェース上を伝送される。伝送される１ビット（「０」または「１」）の周期は１／ｆ１に等しく、伝送される信号の位相は常に保持される。
【００２２】
従って、信号値「０」のための全周期は１ビット周期で完了する（たとえば、ビット周期の冒頭で信号のエッジ３０が発生し、ビット周期の中間でエッジ３２が発生し、さらにビット周期の最後でエッジ３４が発生する）。信号値「１」はビット周期の半分で完了する（つまり、ビット周期の冒頭でエッジ３４が発生し、ビット周期の最後にエッジ３６が発生している）。
【００２３】
図３は、本発明の好ましい実施例に基づいて、デジタルインターフェース１６の導体上を伝送される２位相符号化データにリファレンス周波数を追加する方法を示すものである。特に、本発明の場合には、基本周波数ｆ０のサブハーモニックを非同期データメッセージに重畳する。換言すれば、データメッセージにはその上に重畳されたサブハーモニック周波数ｆ２、ｆ２＝ｆ０／ｎ、ｎ＞１を有する。データメッセージの開始はサブハーモニック周波数ｆ２のレベルの過渡変化とそろっている。選択された周波数ｆ０、ｆ１とｆ２に基づいて、サブハーモニックｆ２を作成することは常に可能である。また、データメッセージの中に、２位相符号化データに対するサブハーモニック周波数からの干渉は存在しない。図３に例示した信号のように、周波数ｆ０のサブハーモニックはリファレンス周波数を搬送するために使用される（太線のレベルの過渡変化）。この場合には、非同期データは重畳された第１のサブハーモニック周波数（ｎ＝２）によって示される。好ましくは、非同期データとリファレンス周波数をデジタルインターフェース１６を介して伝送するために必要な導体は１つのみである。
【００２４】
発明の好ましい実施例の１つの側面によれば、リファレンス周波数は、受信回路（たとえば、ＡＳＩＣ）にリファレンス周波数が重畳されたデータのリファレンス周波数ｆ２のエッジを検出させることで、デジタルインターフェース１６上をデジタル信号に重ねて伝送することができる。受信回路は次にリファレンス周波数ｆ２を示す矩形波を出力することができる。別な方法としては、受信回路はリファレンス周波数の検出したエッジを「ストロボ」信号として出力することもできる。基本的に、この方法は使用されている特定の無線ユニット１４ａ―ｎが使用している位相ロックループ（ＰＬＬ）回路に依存する。
【００２５】
好ましい実施例の第２の側面では、データメッセージに重畳してリファレンス周波数をデジタルインターフェース１６を通して伝送するために、位相復元器を使用する。好ましい実施例（図３）に図示したように、メッセージの内容によって、リファレンス周波数ｆ２の位相は、インターフェースを介した伝送が完了した時点では、そのまま保存されるか１８０度のシフトを受ける。第２の側面によれば、送信回路（たとえば、ＢＢ  ＤＳＰ２６のＡＳＩＣ）が常に、位相を、送信されるメッセージに続くビット周期の中間に復元させることで、リファレンス周波数はデータメッセージと共に送信される。受信回路（たとえば、無線ユニット１４ａ―ｎのＡＳＩＣ）は、位相復元器の信号（図４Ｄに示す）を、伝送ライン上の外乱と解釈する。このように伝送された「違法」信号レベルの過渡変化は、符号侵害シンボルと呼ばれる。しかし、この位相復元器を使用した方法の利点は、ローパスフィルタ５４（図５に示す）を使用することによって、リファレンス周波数ｆ２を簡単に抽出できることである。たとえば、使用するローパスフィルタは通常のＰＬＬ回路で使用されているローパスフィルタである。
【００２６】
図６は、本発明を実現するために使用することができる時刻スタンプアルゴリズムを示すフロー図である。図５はこの点から本発明を説明するために使用することができる。絶対時刻はマスター回路（たとえば、ＢＢ  ＤＳＰのＡＳＩＣ）からデジタルインターフェース１６を介してスレーブ回路（たとえば、無線ユニット１４ａ―ｎのＡＳＩＣ）に、このアルゴリズム１００を使用して伝送することができる。第１に、マスターとスレーブ回路（５０，５２）の間の伝送遅延を測定する。データ送信の返送で同一位相を使用すると仮定することができる。ステップ１０２では、マスター回路５０がデジタルインターフェース１６を介して、メッセージが送信された正確な時刻に関する情報（たとえば、第１のビット周期の開始時のエッジの時刻）を含むメッセージを送信する。ステップ１０４では、スレーブ回路５２が、マスター回路５０からメッセージを受け取った正確な時刻を決定する（たとえば、第１のビット周期の開始時のエッジの時刻）。ステップ１０６では、スレーブ回路５２は、デジタルインターフェース１６を介して、以下の３つの情報、受信したメッセージから抽出した時刻（ステップ１０２の送信時刻）、当該メッセージが取り出された時刻（ステップ１０４から）、および当該メッセージが送信された正確な時刻（ステップ１０６）を含むメッセージをデジタルインターフェース１６を介して送信する。ステップ１０８で、マスター回路５０は、ステップ１０６で送信されたメッセージを受信した正確な時刻を決定する。ステップ１１０で、メッセージから得られた情報とステップ１０８で決定された時刻を使用して、マスター回路５０は伝送遅延（デジタルインターフェース１６を介した）を計算する。ステップ１１２で、適切なルートを使用して、マスター回路５０はデジタルインターフェース１６を介してスレーブ回路５２に時刻修正メッセージを送信する。このメッセージは、スレーブ回路５２がメッセージを受信したときの正確な時刻（たとえば、第１のビット周期の開始部のエッジの受信時刻）に関する情報を伝達するものである。マスター回路５０は、この絶対時刻に、第１ビット周期の開始部分のエッジの送信時刻から計算された伝送遅延（ステップ１１０から）を加算して算出する。従って、絶対リファレンス時刻は、新たな導体を必要とせずに、データと共にデジタルインターフェース１６上を伝送される。
【００２７】
上述のように、データメッセージの開始部分の正確な時刻、メッセージが送信された時刻か受信された時刻を決定することが重要である。本発明によれば、メッセージの開始はリファレンス周波数のレベルの過渡変化によって開始するので、データメッセージの開始時刻を正確に決定することができる。受信回路では（たとえば５２）、リファレンス周波数のレベルの過渡変化はメッセージの開始時刻の決定精度を向上させるために記録しておくことができる。
【００２８】
特に、受信回路（たとえばＡＳＩＣ）５２は、いつ時刻スタンプを受け取るかを予測することができる。すべてのメッセージはアイドルシンボルとそろっている。又、アイドルシンボル相互間のレベルの過渡変化はメッセージ内部で（たとえば、抽出したクロック信号）得ることができる。受信回路５２は、送信回路５０と受信回路自身（５２）との間の周波数のずれを、レベルの過渡変化の間のサンプル数を分析することによって決定することができる。たとえば、サンプル数が、１７，１６，１６，１６，１６，１６，１６，１７，１６，１６，１６，１６，１６，１６，１７，１６、・・・であれば、受信回路はレベルの過渡変化が１６＋１／７サンプル毎におきると決定することができる。時刻スタンプメッセージが１７シンボル周期のあとの４つの過渡変化で受信されたら、受信回路５２はメッセージに対して、最後の１７シンボル周期＋４＊（１６＋１／７）サンプル周期（たとえば、連続する「信号」が無い状況で得られ巣最高の精度である全サンプル周期ではなく、１／７サンプル周期の精度で）に等しいタイムスタンプすることができる。
【００２９】
本発明の実施例の別な側面によれば、以下の方法によってデジタルインターフェース１６を介してリセット信号を伝送することができる。リセット信号は送信回路で（たとえばＡＳＩＣ５０）所定の時間（たとえば１０ｍｓ）だけリファレンス周波数の送信を省略することによって作成される。（あるいは、リセット信号を作成するためにもウォッチドッグ回路を使用することもできる）。受信回路（たとえばＡＳＩＣ５２）の入力部のローパスフィルタを、リセット信号を発生させるために使用することができる。インターフェース１６に信号が存在すれば、ローパスフィルタの出力はＶｃｃ／２になる。インターフェース１６に信号が無ければ、ローパスフィルタの出力は０になり、受信回路（たとえばＡＳＩＣ５２）のリセットが行われる。
【００３０】
図７は、本発明のさらに別の実施例を実現するために使用することができる無線送受信機に基づくＲＢＳを図示したものである。この例示した実施例の場合、図に示したＲＢＳ２００は分配切り替えユニット２１２を有する。ユニット２１２は、搬送ネットワーク２１８からリファレンス時刻を抽出する機能と、スイッチ２２４のスイッチング機能とを有する、制御と処理アプリケーションの実行のために、ＣＦ部にプロセッサ（ＣＰＵ）２２０を有する。リファレンス発振器２２２は対応するＴＲＸ２１４ａ―ｎのＲＦコンポーネントに伝送されるリファレンス周波数を発生させる。リファレンス周波数は、使用するＲＦ搬送波周波数を作成するために使用する。複数の信号伝送体（ワイヤおよび／または光ファイバ）から構成されるデジタルインターフェース２１６は、分配切り替えユニット２１２とそれに対応するＴＲＸ２１４ａ―ｎとの間で信号を伝送する。図１に示した、デジタルインターフェース１６を介してリファレンス周波数、リファレンス時刻、およびリセット信号を伝送する上述の方法は、図７に示す無線送受信機に基づくＲＢＳに対して同様の機能を発揮するために使用することもできる。
【００３１】
添付の図面と発明の詳細な説明では、本発明の方法と装置の好ましい実施例について説明したが、本発明はこれらの実施例に限定されるものではなく、添付の特許請求の範囲によって規定された発明の技術的思想の範囲内において多くの変更、改変および置換が可能であることが理解される。
【図面の簡単な説明】
【図１】  本発明の好ましい実施例を組み込んで使用することができるＲＢＳのＢＢ  ＤＳＰのプールタイプを示すブロック図である。
【図２】  本発明の好ましい実施例に基づいて、デジタルインターフェースを介してリファレンス周波数を搬送するために使用することができる信号フォーマットの例を示す図である。
【図３】  本発明の好ましい実施例に基づいて、デジタルインターフェースの導体上を伝送される２位相で符号化されたデータにリファレンス周波数を追加する様子を示す図である。
【図４】  本発明の好ましい実施例に基づく、位相復元器の使用を示す図である。
【図５】  本発明の好ましい実施例に基づいて、デジタルインターフェース上の非同期データからリファレンス周波数を抽出するためにローパスフィルタを使用する様子を示す図である。
【図６】  本発明を実施することができる時刻スタンプアルゴリズムを示すフロー図である。
【図７】  本発明の別の実施例を実行することができる、無線装置に基づくＲＢＳを示すブロック図である。
【図１】
0004426112.tif 000002
【図２】
0004426112.tif 000003
【図３】
0004426112.tif 000004
【図４】
0004426112.tif 000005
【図５】
0004426112.tif 000006
【図６】
0004426112.tif 000007
【図７】
0004426112.tif 000008